(57)【要約】【課題】カップにカップ蓋をした状態でカップ蓋にストローを差し込んで飲料水を飲んだ後に、ストローが単独で飛散して自然環境を悪くしていることを防止すること。【解決手段】カップ７の開口部７ａを塞ぐ蓋面材２と、該蓋面材２の外周囲に形成されカップの開口部７ａの外周縁に設けている引掛片８に嵌着する嵌着片３と、前記蓋面材２の挿入穴４に差し込まれたストロー６とを具備するストロー付カップ蓋１において、前記ストロー６が前記挿入穴４から抜け出ないように前記蓋面材２に固定されているストロー付カップ蓋１。【選択図】図１
2020048793.tif 000002
【特許請求の範囲】
【請求項１】
カップの開口部を塞ぐ蓋面材と、該蓋面材の外周囲に形成されカップの開口部の外周縁に設けている引掛片に嵌着する嵌着片と、前記蓋面材の挿入穴に差し込まれたストローとを具備するストロー付カップ蓋において、前記ストローが前記挿入穴から抜け出ないように前記蓋面材に固定されていることを特徴とするストロー付カップ蓋。
【請求項２】
前記蓋面材の前記挿入穴の外周方向に同心円状の横蛇腹模様を形成したことを特徴とする請求項１に記載のストロー付カップ蓋。
【請求項３】
前記ストローと蓋面材との固定が、前記挿入穴の内周面と前記ストローの外周面との固着であることを特徴とする請求項１又は２に記載のストロー付カップ蓋。
【請求項４】
前記ストローと蓋面材との固定が、一端が前記挿入穴の周囲を塞ぐようにして連通しつつ前記蓋面材に固定され、他端の内周面がストローの外周面に固定された中空状の柔軟性のある中空連結部材であることを特徴とする請求項１又は２に記載のストロー付カップ蓋。
【請求項５】
前記柔軟性のある中空連結部材が縦蛇腹模様であることを特徴とする請求項４に記載のストロー付カップ蓋。
【請求項６】
前記ストローと蓋面材との固定が、前記ストローの外周面の長手方向に間隔を開けて設けた２ヶ所の鍔部の間に前記ストローを挿通する挿通穴を位置させてなることを特徴とする請求項１又は２に記載のストロー付カップ蓋。
【発明の詳細な説明】
【技術分野】
【０００１】
この発明は、ストローとカップ蓋とが一体となったストロー付カップ蓋に関する。
【背景技術】
【０００２】
コーヒー、紅茶、炭酸飲料などの飲料用のカップのカップ蓋の挿入穴からストローを差し込んで飲用した後の使用済のストローは、カップ蓋から分離して、他のプラスチックス等のゴミに混ざって投棄されたり、後始末不十分に起因して空気中飛散或いは海洋拡散などによって環境汚染の原因となっており、特に海洋動物を含む自然環境への悪影響が問題視されるに至っている。この原因は、ストローが細く短くて小形で軽量であるために、その多くはプラスチックスゴミの分別の際に漏れて一般ゴミに紛れ易く、そのまま焼却処分されることなく地中に埋め込められたものが、地表や海中に漏れ出てこれが自然環境を破壊しているものと思われている。この使用済みのストローによる環境破壊が問題視されるに至ってから未だ日が浅いために、この問題を技術的課題とする発明は殆ど提案されていない。特許文献１においては、飲用後においてストローが蓋から抜け出せないようにストローの外周面に保持用拡張部を設けたものが提案されている。
【先行技術文献】
【特許文献】
【０００３】
【特許文献１】特表２０１１−５１６２４０
【発明の概要】
【発明が解決しようとする課題】
【０００４】
上記の従来技術によると、保持用拡張部によってカップ蓋の上方からの引き抜きによる取り出しは力を加えないと出来ないが、カップからカップ蓋を外した後であれば反対方向へ引き抜く時は抵抗がなくなりで容易にカップ蓋から分離できるので、廃棄ゴミとしての処理中にストローが単独で一般ゴミに混ざるという問題点は解決されていなかった。
【課題を解決するための手段】
【０００５】
この発明は上記事情に鑑み、カップの開口部を塞ぐカップ蓋にストローを固着しておくことにより、ストローとカップ蓋とが一体となって破棄処分されることで、見掛けの外形が増加して他のプラスチックゴミや一般ゴミとの混ざり合いが良くなり、ストローの単体での飛散が防止されることを図ることを目的としてなされたものであって、その手段とするところは、カップの開口部を塞ぐ蓋面材と、該蓋面材の外周囲に形成されカップの開口部の外周縁に設けている引掛片に嵌着する嵌着片と、前記蓋面材の挿入穴に差し込まれたストローとを具備するストロー付カップ蓋において、前記ストローが前記挿入穴から抜け出ないように前記蓋面材に固定されていることを特徴とするストロー付カップ蓋としたことにある。
【０００６】
又、前記蓋面材の前記挿入穴の外周方向に同心円状の横蛇腹模様を形成したことにある。更に、前記ストローと蓋面材との固定が、前記挿入穴の内周面と前記ストローの外周面との固着であることにある。
【０００７】
更に又、前記ストローと蓋面材との固定が、一端が前記挿入穴の周囲を塞ぐようにして連通しつつ前記蓋面材に固定され、他端の内周面がストローの外周面に固定された中空状の柔軟性のある中空連結部材であることである。
【０００８】
更に、該中空連結部材が縦蛇腹模様であることにある。
【０００９】
更に又、前記ストローと蓋面材との固定が、前記ストローの外周面の長手方向に間隔を開けて設けた２ヶ所の鍔部の間に前記ストローを挿通する挿通穴を位置させてなることにある。
【発明の効果】
【００１０】
この発明のストロー付カップ蓋によると、ストローと前記ストローが前記挿入穴から抜け出ないように前記蓋面材に固定されているので、ストローが蓋面材に形成されている挿入穴の中で挿入方向と引き抜く方向である挿抜両方向への移動を制限されている。そのために、カップ内の飲料水等を飲み終わってストローをカップごと或いはカップから外したカップ蓋をゴミ箱に捨てても、ストローは、挿入穴から抜け出ることはなく、カップ蓋と一体になった状態を維持する。したがって、挿入穴から抜け出したストローだけの場合と異なり、見掛けが凹凸状の外形となって大きくなり、隣接のゴミ等と引っ掛り易くなるので、ゴミ処理中にはみ出て単体で飛散する可能性が少なくなる。そのために軽くて小さいストロー単体と異なり自然環境への悪影響を防止し、自然に優しいものとすることが出来る。
【００１１】
前記蓋面材の挿入穴の外周方向に同心円上の横蛇腹模様を形成した際には、ストローが挿入穴に対して挿抜両方向へ動かないような場合であっても、この縦蛇腹模様が伸び縮みすることによって、ストローの上方側を口に咥えたままで或いは指に掴んで上下方向或いは前後左右に移動させることによって、ストローの下方側の吸引口の先端をカップ内の全ての位置へと移動できるので、カップの底や隅に残った飲料水等を飲み残しすることがなく、又、飲料水等を攪拌することもできる。
【００１２】
前記ストローと前記蓋面材の固定が、挿入穴の内周面と前記ストローの外周面との固着である場合には、確固に固着できる。
【００１３】
前記ストローと前記蓋面材の固定が、一端が前記挿入穴の周囲を塞ぐようにして連通しつつ前記蓋面材に固定され、他端の内周面がストローの外周面に固定された中空状の柔軟性のある中空連結部材である場合には、ストローが中空連結部材の柔軟な許容範囲内で挿抜両方向及び前後左右方向に動くので、ストローの吸引口の先端をカップ内の全ての位置へと移動できるので、飲み残しすることがなく、又、飲料水等を攪拌することもできる。
【００１４】
前記中空連結部材が、蛇腹状部材であれば、挿抜両方向、前後左右方向へのストローの移動が自在となる。
【００１５】
前記ストローの前記蓋面材への固定が、前記ストローの外周面の長手方向に間隔を開けて設けた２ヶ所の鍔部の間に前記ストローを挿通する挿入穴を位置させてて挿抜方向への抜けを防止している場合には、ストローは２ヶ所の鍔部の間隔の範囲内で挿抜両方向へ移動でき、又、挿入口を軸として前後左右に傾けながら回転できる。これによってストローは自由に使用することが出来ることに加えて、鍔部により挿入口から抜け出ることはないので、カップ蓋との一体性を飲料水等の飲料中及び飲料後においても保持できる。
【図面の簡単な説明】
【００１６】
【図１】この発明の実施形態のストロー付カップ蓋の断面図
【図２】図１の平面図
【図３】図１のストロー付カップ蓋のカップへの使用例の斜視図
【図４】図３のＡ−Ａ断面図
【図５】図１のストロー付カップ蓋の使用状態断面説明図
【図６】この発明の他の実施形態の使用例断面説明図
【図７】この発明の他の実施形態の使用例断面説明図
【図８】この発明の他の実施形態の使用例の傾斜図
【図９】この発明の他の実施形態の使用例断面説明図
【図１０】図９の実施形態のストロー付カップ蓋に使用するストローの斜視図
【図１１】カップ蓋の平面図
【図１２】図９の実施形態に使用する他の実施形態のストローの斜視図
【発明を実施するための形態】
【００１７】
この発明の最良の実施形態について以下図面を参照しつつ説明する。図１乃至図５に示す第１の実施形態のストロー付カップ蓋１は、円形状の蓋面材２、該蓋面材２の外周縁に形成されている嵌着片３及び前記蓋面材２に形成されている挿入穴４を有するカップ蓋５と、前記挿入穴４に差し込まれて外周面が当該挿入穴４と固定されたストロー５を具備する。前記蓋面材２は、カップ７の開口部７ａと略同形状でその外周縁には前記開口部７ａの外周囲に形成してある引掛片８に嵌められてカップ７の開口部７ａを塞いでカップ７内の飲料水等の液体の漏れを防ぐ嵌着片３が設けられている。これらカップ蓋５、ストロー６、カップ７は合成樹脂を原料として形成されているのが一般的であるが、紙など他の植物性原料で形成されていても良い。しかし、植物性原料で作成されている場合には、土壌や海水中の細菌等によって腐敗消滅するために自然環境に悪影響を及ぼす恐れは少ない。
【００１８】
前記カップ蓋５の蓋面材２に挿入穴４を中心に同心円状の横蛇腹模様９が形成されている。図１乃至図６の実施形態の場合には、この横蛇腹模様９は蓋面材２を構成する合成樹脂等からなる薄板状の平板を波状に折り曲げて蛇腹状に形成したものである。この横蛇腹模様９の伸縮によって、挿入穴４を中心に蓋面材２を上下方向に伸縮させたり傾斜させることができる。前記挿入穴４内に挿入されているストロー６の外周面は、図１に良く現れているように、内部が挿入穴４に連通し下端部が蓋面材２に固定されている連結筒部１０の上方側の内周面と接着剤や連結筒部１０の外から加えられる熱によって溶融密着などで固着されて、カップ蓋５に固定されて一体化されている。そのため、飲み終えた後に、引掛片８から嵌着片３を外すことでストロー付カップ蓋１をカップ７を外してもストロー７はカップ蓋５に付いたままの状態であるので、そのままゴミ箱に捨てた場合であっても分離しにくく、そのためカップ蓋５と共にそのままごみ処理場まで運搬され焼却処分される。したがって、ストロー６が軽くて小形状であってもストロー７のみが単独で飛散したり零れ落ちたりすることがないので自然環境を汚すことが防止できる。尚、横蛇腹模様９が形成されていない蓋面材２であっても蓋面材２の材質が柔軟性を有している場合には、ある程度の範囲内でストロー６を上下方向や前後左右方向に移動させることもできる。
【００１９】
しかも、ストロー６の上方側を口に咥えて或いは指で掴みながら上下動させたり前後左右に動かして横方向に傾斜したりすることが出来、これによって、カップ７の底や端に溜った飲料水を最後まで飲み切ることが出来るのに加えて、又、カップ７の内容物を攪拌することもできるなど、従来のストローと同様な作用効果を備える。図１乃至図６の実施形態では、挿入穴４は蓋面材２の中央部に形成したが、周辺部に形成してあっても良い。更に、図６に示すように、連結筒部１０を使用することなく直接に挿入穴４の内周面とストロー６の外周面とを接着剤等によって固定しても良い。
【００２０】
この発明の他の実施形態は図７に示される。前記実施形態と異なるところは、蓋面材２に横蛇腹模様９を形成するのに代えて、挿入穴４を形成した蓋部材２とストロー６とを柔軟性のある中空連結部材１１によって連結固定したことにある。この中空連結部材１１は、一端が前記挿入穴４と連通しつつ該挿入穴４の周囲の蓋部材２に固定され、他端が挿入穴４に差し込まれているストロー６の外周面に固定された中空状の柔軟性のある連結部材である。このような構造により、前記の実施形態と同じように、カップ蓋５の蓋面材２の挿通穴４に差し込まれているストロー６は、中空連結部材１１を介してカップ蓋５に一体的に固定されたままであるので、前記と同様にストローとしての機能は従来と同じように維持しつつストロー付カップ蓋１をカップ７から外しても分離することがなく、自然環境を汚すことを防止できる。
【００２１】
前記柔軟性のある中空状連結部材１１の材質、形状は、薄い厚さの合成樹脂膜面材からなる筒状のものであっても、図７に示すように、適度な硬さを有する薄合成樹脂板状部材等の外周囲に伸縮自在な縦蛇腹状模様１２が縦方向に形成されたものであってもよい。この柔軟性のある中空状連結部材１１によって、ストロー６の動きが上下方向や前後左右方向に自在となるので、ストロー６の上方側を口に咥えたり、指で摘まんだりして、カップ７内にあるストロー６の下方側を上下方向や前後左右方向に動かせることが出来る。これによって、カップ７の底や隅に溜った飲料水を吸い上げることが出来るし、又、内容物である飲料水の攪拌も自在に出来る。縦蛇腹模様１２の形状は、図７に示すように縦方向に同形状の蛇腹が複数形成されたものであっても、図８に示すように、ストロー６を更に一層傾斜方向に傾きさせ易いようにするために末広がりな円錐形状のものであっても良い。更に又、蓋部材２と柔軟性のある中空連結部材１１を一体成型してあるものであっても良い。柔軟性のある中空連結部材１１としては、上記の他に図示していないが、柔らかい防水性のある紙、不織布、柔軟性のある合成樹脂シート状のものを筒状にしたものに置き換えたものであっても良い。このような部材であっても、ストロー７を蓋部材２に固定出来ると共にその下方側を上下及び前後左右方向への移動が自在となる構成であれば良い。
【００２２】
この発明の更なる他の実施形態は、蓋部材２の挿入穴４とストロー６との固定を直接又は中空連結部材１１を介してではなく、図１０、図１２に示されるように、ストロー６の中間部の外周囲に長手方向に間隔を開けて２つの鍔部６ａ、６ｂを２ヶ所に設けたものを、図１１に示すカップ蓋５の蓋面材２の挿入穴４に下方の鍔部６ｂを押し込むようにして差し込むことによって、図９の状態で使用するものである。蓋面材２より上方に位置する上方の鍔部６ａは挿入穴４の直径よりも外形が大きく形成される。下方の鍔部６ｂは、図１１に示すような挿入穴４が十字の切溝を有して使用時において切片４ａが内側に折れ曲がれる場合には挿入穴４の直径よりも小さい場合でも引き抜き方向である上方向にストロー４が移動する時に鍔部６ｂが切片４ｂに引っ掛って抜けないので良いが、切片４ａがない場合には、上方の鍔部６ａと同様に挿入穴４の直径より大きくして抜け防止を図ることが望ましい。下方の鍔部６ｂを図１０に示すように先端側が開いた錨型にすれば、挿入穴４に差込易いが、引抜き方向に対しては、鎖型の先端が切片４ａ又は挿入穴４の開口部の外周に引っ掛って挿入穴４から引き抜けにくくなるのでより好ましい形態となる。鍔部６ｂの硬さは押して挿入穴４を通過できるようにある程度柔軟な材質とするのが好ましい。２つの鍔部６ａ、６ｂの間隔は、前記実施形態と同様に、ストロー６の上方側を口に咥えて或いは指で掴みながら上下動させたり前後左右に動かして横方向に傾斜したりすることもが出来、これによって、カップ７の底や端に溜った飲料水を最後まで飲み切ることができ、又、カップ７の内容物を攪拌することもできるなど従来のストローと同様な作用効果が得られる。勿論のこと、この実施形態のストロー付カップ蓋１はストロー６がカップ蓋５から外れることがないので自然環境に優しいものとなる。
【００２３】
以上の説明から明らかなように、この発明のストロー付カップ蓋１によると、軽くて外形上の小さいストロー６であってもカップ蓋５と固定されて一体となっているので、見掛けの外形状は大きくなると共に凹凸部分があることから他のゴミ等との引っ掛りも多くなり、その結果、単独で飛散したり、収集ゴミから分離されることもなくなるので、自然環境への悪影響への防止を図ることが出来る。
【産業上の利用可能性】
【００２４】
この発明のストロー付カップ蓋は、コーヒー、紅茶、ジュース、コーラ、炭酸飲料など多くの種類の飲料水のカップに適用できるので、その利用範囲は広いことから多くの製造販売が見込まれ、飲料水カップの生産産業に貢献できることに加えて、自然環境の崩壊防止に対する貢献度は大きいものである。
【符号の説明】
【００２５】
１  ストロー付カップ蓋
２  蓋面材
３  嵌着片
４  挿入穴
４ａ  切片
５  カップ蓋
６  ストロー
６ａ  鍔部（上方）
６ｂ  鍔部（下方）
７  カップ
７ａ  開口部
８  引掛片
９  横蛇腹模様
１０  連結筒部
１１  中空連結部材
１２  縦蛇腹模様
【図１】
2020048793.tif 000003
【図２】
2020048793.tif 000004
【図３】
2020048793.tif 000005
【図４】
2020048793.tif 000006
【図５】
2020048793.tif 000007
【図６】
2020048793.tif 000008
【図７】
2020048793.tif 000009
【図８】
2020048793.tif 000010
【図９】
2020048793.tif 000011
【図１０】
2020048793.tif 000012
【図１１】
2020048793.tif 000013
【図１２】
2020048793.tif 000014
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
カップの開口部を塞ぐ蓋面材と、該蓋面材の外周囲に形成されカップの開口部の外周縁に設けている引掛片に嵌着する嵌着片と、前記蓋面材の中心に形成された挿入穴に差し込まれる真直ぐなストローとを具備するストロー付カップ蓋において、前記挿入穴の内周面と前記ストローの外周面とが固着されて前記ストローが前記挿入穴から抜け出ないように前記蓋面材に固定されており、前記蓋面材に前記挿入穴を中心としてその外周方向に同心円状の横蛇腹模様が形成されていることを特徴とするストロー付カップ蓋。
【手続補正２】
【補正対象書類名】明細書
【補正対象項目名】０００５
【補正方法】変更
【補正の内容】
【０００５】
この発明は上記事情に鑑み、カップの開口部を塞ぐカップ蓋にストローを固着しておくことにより、ストローとカップ蓋とが一体となって破棄処分されることで、見掛けの外形が増加して他のプラスチックゴミや一般ゴミとの混ざり合いが良くなり、ストローの単体での飛散が防止されることを図ることを目的としてなされたものであって、その手段とするところは、カップの開口部を塞ぐ蓋面材と、該蓋面材の外周囲に形成されカップの開口部の外周縁に設けている引掛片に嵌着する嵌着片と、前記蓋面材の中心に形成された挿入穴に差し込まれる真直ぐなストローとを具備するストロー付カップ蓋において、前記挿入穴の内周面と前記ストローの外周面とが固着されて前記ストローが前記挿入穴から抜け出ないように前記蓋面材に固定されており、前記蓋面材に前記挿入穴を中心としてその外周方向に同心円状の横蛇腹模様が形成されていることを特徴とするストロー付カップ蓋としたことにある。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】変更
【補正の内容】
【００１１】
前記蓋面材の挿入穴の外周方向に同心円状の横蛇腹模様を形成しているので、ストローが挿入穴に対して挿抜両方向へ動かないような場合であっても、この横蛇腹模様が伸び縮みすることによって、ストローの上方側を口に咥えたままで或いは指に掴んで上下方向或いは前後左右に移動させることによって、ストローの下方側の吸引口の先端をカップ内の全ての位置へと移動できるので、カップの底や隅に残った飲料水等を飲み残しすることがなく、又、飲料水等を攪拌することもできる。
【手続補正８】
【補正対象書類名】明細書
【補正対象項目名】００１２
【補正方法】変更
【補正の内容】
【００１２】
前記ストローと前記蓋面材の固定が、挿入穴の内周面と前記ストローの外周面との固着であるので、確固に固着できる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１７
【補正方法】変更
【補正の内容】
【００１７】
この発明の最良の実施形態について以下図面を参照しつつ説明する。図１乃至図５に示す第１の実施形態のストロー付カップ蓋１は、円形状の蓋面材２、該蓋面材２の外周縁に形成されている嵌着片３及び前記蓋面材２に形成されている挿入穴４を有するカップ蓋５と、前記挿入穴４に差し込まれて外周面が当該挿入穴４と固定されたストロー６を具備する。前記蓋面材２は、カップ７の開口部７ａと略同形状でその外周縁には前記開口部７ａの外周囲に形成してある引掛片８に嵌められてカップ７の開口部７ａを塞いでカップ７内の飲料水等の液体の漏れを防ぐ嵌着片３が設けられている。これらカップ蓋５、ストロー６、カップ７は合成樹脂を原料として形成されているのが一般的であるが、紙など他の植物性原料で形成されていても良い。しかし、植物性原料で作成されている場合には、土壌や海水中の細菌等によって腐敗消滅するために自然環境に悪影響を及ぼす恐れは少ない。
【手続補正１３】
【補正対象書類名】明細書
【補正対象項目名】００１８
【補正方法】変更
【補正の内容】
【００１８】
前記カップ蓋５の蓋面材２に挿入穴４を中心に同心円状の横蛇腹模様９が形成されている。図１乃至図６の実施形態の場合には、この横蛇腹模様９は蓋面材２を構成する合成樹脂等からなる薄板状の平板を波状に折り曲げて蛇腹状に形成したものである。この横蛇腹模様９の伸縮によって、挿入穴４を中心に蓋面材２を上下方向に伸縮させたり傾斜させることができる。前記挿入穴４内に挿入されているストロー６の外周面は、図１に良く現れているように、内部が挿入穴４に連通し下端部が蓋面材２に固定されている連結筒部１０の上方側の内周面と接着剤や連結筒部１０の外から加えられる熱によって溶融密着などで固着されて、カップ蓋５に固定されて一体化されている。そのため、飲み終えた後に、引掛片８から嵌着片３を外すことでストロー付カップ蓋１をカップ７を外してもストロー６はカップ蓋５に付いたままの状態であるので、そのままゴミ箱に捨てた場合であっても分離しにくく、そのためカップ蓋５と共にそのままごみ処理場まで運搬され焼却処分される。したがって、ストロー６が軽くて小形状であってもストロー６のみが単独で飛散したり零れ落ちたりすることがないので自然環境を汚すことが防止できる。尚、横蛇腹模様９が形成されていない蓋面材２であっても蓋面材２の材質が柔軟性を有している場合には、ある程度の範囲内でストロー６を上下方向や前後左右方向に移動させることもできる。
【手続補正１４】
【補正対象書類名】明細書
【補正対象項目名】００２２
【補正方法】変更
【補正の内容】
【００２２】
この発明の更なる他の実施形態は、蓋部材２の挿入穴４とストロー６との固定を直接又は中空連結部材１１を介してではなく、図１０、図１２に示されるように、ストロー６の中間部の外周囲に長手方向に間隔を開けて２つの鍔部６ａ、６ｂを２ヶ所に設けたものを、図１１に示すカップ蓋５の蓋面材２の挿入穴４に下方の鍔部６ｂを押し込むようにして差し込むことによって、図９の状態で使用するものである。蓋面材２より上方に位置する上方の鍔部６ａは挿入穴４の直径よりも外形が大きく形成される。下方の鍔部６ｂは、図１１に示すような挿入穴４が十字の切溝を有して使用時において切片４ａが内側に折れ曲がれる場合には挿入穴４の直径よりも小さい場合でも引き抜き方向である上方向にストロー４が移動する時に鍔部６ｂが切片４ａに引っ掛って抜けないので良いが、切片４ａがない場合には、上方の鍔部６ａと同様に挿入穴４の直径より大きくして抜け防止を図ることが望ましい。下方の鍔部６ｂを図１０に示すように先端側が開いた錨型にすれば、挿入穴４に差込易いが、引抜き方向に対しては、錨型の先端が切片４ａ又は挿入穴４の開口部の外周に引っ掛って挿入穴４から引き抜けにくくなるのでより好ましい形態となる。鍔部６ｂの硬さは押して挿入穴４を通過できるようにある程度柔軟な材質とするのが好ましい。２つの鍔部６ａ、６ｂの間隔は、前記実施形態と同様に、ストロー６の上方側を口に咥えて或いは指で掴みながら上下動させたり前後左右に動かして横方向に傾斜したりすることもが出来、これによって、カップ７の底や端に溜った飲料水を最後まで飲み切ることができ、又、カップ７の内容物を攪拌することもできるなど従来のストローと同様な作用効果が得られる。勿論のこと、この実施形態のストロー付カップ蓋１はストロー６がカップ蓋５から外れることがないので自然環境に優しいものとなる。